(57)【要約】【課題】取扱説明書の操作に応じて操作画面を遷移させることができ、操作画面の操作に不慣れなユーザでも操作を容易に行なうことができる画像処理装置及びそれを含むシステムを提供する。【解決手段】画像処理装置１００は、操作画面を表示する表示部１２４と、操作画面のキーが選択されたことを検出する入力部１２２と、画像処理装置１００の取扱説明書を表示する端末装置から、取扱説明書の操作内容に対応する操作画面を特定するための情報を受信する無線ＩＦ部１３２とを含み、選択されたキーに応じて、表示部１２４に表示される操作画面が変更され、無線ＩＦ部１３２により受信された情報により特定される操作画面が表示部１２４に表示される。これにより、ユーザによる画像処理装置の取扱説明書の操作に応じて、画像処理装置の操作画面を遷移させることができる。【選択図】図２
2015172875.tif 000002
【特許請求の範囲】
【請求項１】
画像処理装置と、前記画像処理装置と通信可能な端末装置とを含むシステムであって、
前記画像処理装置は、
操作画面を表示する第１表示手段と、
前記第１表示手段に表示されている前記操作画面に含まれるキーが選択されたことを検出する第１検出手段と、
前記第１検出手段により、前記キーが選択されたことが検出されたことを受けて、前記第１表示手段に、前記第１表示手段に表示されている前記操作画面を、選択された前記キーに応じて変更させる第１制御手段とを含み、
前記端末装置は、
前記画像処理装置の取扱説明書を画像として表示する第２表示手段と、
前記第２表示手段に表示されている前記取扱説明書の画像の所定領域が選択されたことを検出する第２検出手段と、
前記第２検出手段により、前記所定領域が選択されたことが検出されたことを受けて、前記第２表示手段に、前記第２表示手段に表示されている前記取扱説明書の画像を、選択された前記所定領域に対応する前記取扱説明書の新たな画像に変更させる第２制御手段と、
前記取扱説明書の前記新たな画像に対応する操作画面を特定するための情報を、前記画像処理装置に送信する送信手段とを含み、
前記画像処理装置は、
前記送信手段から送信される前記情報を受信する受信手段と、
前記第１表示手段に、前記受信手段により受信された前記情報により特定される操作画面を表示させる操作画面変更手段とをさらに含む、システム。
【請求項２】
操作画面を特定するための前記情報は、前記新たな画像を生成するためのデータを含む取扱説明書ファイルのファイル名を含み、
前記画像処理装置は、前記取扱説明書ファイルのファイル名と、操作画面を生成するためのデータを含む操作画面ファイルのファイル名とを対応付けたテーブル情報を記憶する記憶手段をさらに含み、
前記操作画面変更手段は、前記テーブル情報を、前記受信手段により受信された前記情報に含まれる前記取扱説明書ファイルのファイル名で検索して、前記第１表示手段に表示させる操作画面を生成するための操作画面ファイルを特定する、請求項１に記載のシステム。
【請求項３】
前記取扱説明書ファイルは、前記新たな画像を生成するためのデータの位置を特定するためのアンカー名をさらに含み、
操作画面を特定するための前記情報は、前記取扱説明書ファイルのファイル名に加えて、前記取扱説明書ファイルに含まれる前記アンカー名を含み、
前記記憶手段は、前記取扱説明書ファイルのファイル名及びアンカー名と、前記操作画面ファイルのファイル名及びキー名とを対応付けるテーブル情報を記憶し、
前記操作画面変更手段は、前記テーブル情報を、前記受信手段により受信された前記情報に含まれる前記取扱説明書ファイルのファイル名及びアンカー名で検索して、前記第１表示手段に表示させる操作画面を生成するための操作画面ファイルのファイル名及びキー名を特定し、
前記操作画面変更手段は、前記表示手段に、特定されたファイル名の操作画面ファイルを用いて操作画面を表示させ、当該操作画面中の前記キー名に対応するキーを点滅表示させる、請求項２に記載のシステム。
【請求項４】
操作画面を表示する表示手段と、
前記表示手段に表示されている前記操作画面に含まれるキーが選択されたことを検出する検出手段と、
前記検出手段により、前記キーが選択されたことが検出されたことを受けて、前記表示手段に、前記表示手段に表示されている前記操作画面を、選択された前記キーに応じて変更させる制御手段と、
前記画像処理装置の取扱説明書を表示する端末装置から、前記端末装置に表示されている前記取扱説明書の画像が操作されたことにより、前記取扱説明書の新たな画像が表示されることを受けて、前記端末装置から送信された、前記新たな画像に対応する操作画面を特定するための情報を受信する受信手段と、
前記表示手段に、前記受信手段により受信された前記情報により特定される操作画面を表示させる操作画面変更手段とを含む、画像処理装置。
【請求項５】
操作画面を表示する表示手段と、
前記表示手段に表示されている前記操作画面に含まれるキーが選択されたことを検出する検出手段と、
前記検出手段により、前記キーが選択されたことが検出されたことを受けて、前記表示手段に、前記表示手段に表示されている前記操作画面を、選択された前記キーに応じて変更させる制御手段とを含み、
前記操作画面は、取扱説明書の表示を指示するための取扱説明書キーを含み、
前記検出手段により前記取扱説明書キーが選択されたことを受けて、前記表示手段は、前記操作画面と前記画像処理装置の取扱説明書の画像とを表示し、
前記検出手段により、前記表示手段に表示されている取扱説明書の前記画像の所定領域が選択されたことが検出されたことを受けて、前記表示手段は、
前記表示手段に表示されている取扱説明書の前記画像を、選択された前記所定領域に対応する取扱説明書の新たな画像に変更し、且つ、
取扱説明書の前記新たな画像に対応する操作画面を表示する、画像処理装置。
【請求項６】
前記取扱説明書の画像は、前記操作画面に隣接して、又は、前記操作画面の上に表示される、請求項５に記載の画像処理装置。
【発明の詳細な説明】
【技術分野】
【０００１】
本発明は、ユーザによる電子的な取扱説明書の操作に応じて、操作画面を遷移させることができ、ユーザが操作を容易に行なうことができる画像処理装置及びそれを含むシステムに関する。
【背景技術】
【０００２】
近年、電子機器である画像処理装置の１種として、多くの事業所（会社、事務所等）に、記録用紙に画像を形成する画像形成装置（代表的にはコピー機）が導入されている。このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸともいう）、ネットワーク対応のプリンタモード、及びスキャナモードのように、複数の基本的な動作モードを備える。
【０００３】
経費節減及び環境保護の目的で、紙資源の消費削減が推進され、資料のペーパーレス化が進んでいる。例えば、コンピュータ（以下、ＰＣとも記す）及び画像形成装置等の電子機器の取扱説明書等は、従来、冊子の形式で購入者に提供されていたが、近年ではＰＤＦ又はＨＴＭＬ形式等の電子データとして提供されるようになっている。ユーザは必要に応じて、ＰＣのディスプレイ、又は画像形成装置の操作パネルの液晶ディスプレイ上に、装置の操作方法等を表示させて、これを参照することができる。
【０００４】
例えば、下記特許文献１には、複数のディスプレイを備え、１つの画面で操作中の機能を利用したまま、別の画面にて操作ガイダンスを参照することができる携帯端末が開示されている。この携帯端末は、２つ折りタイプの携帯端末の内側に配置される第１及び第２ディスプレイを備え、第１ディスプレイに表示されている操作画面に対する操作ガイダンスが、第２ディスプレイに表示される。この携帯端末により、ユーザは、機能ガイダンスを参照しながら該当機能の操作を行なうことができ、操作中の機能不明点、及び、取扱説明書を読まなければならないという煩わしさから解放される。
【０００５】
また、下記特許文献２には、ユーザによる操作装置の操作に連動して、操作マニュアルの電子データをユーザが理解しやすいように、且つ、簡便に表示することができる画像形成装置が開示されている。この画像形成装置は、操作装置の表示パネルを２つのエリア（操作エリア及び取説表示エリア）に左右に分割し、操作エリアに表示された操作画面においてキー操作がなされた場合に、そのキーに関連付けられた操作マニュアルの項目を、取説表示エリアに表示する。
【先行技術文献】
【特許文献】
【０００６】
【特許文献１】特開２００９−７７１３５号公報
【特許文献２】特開２０１０−１８５９９４号公報
【発明の概要】
【発明が解決しようとする課題】
【０００７】
特許文献１及び２のように、装置の操作中に不明な点を電子的な操作マニュアルにより容易に参照できる技術が知られている。これにより、ユーザの操作性は改善するが、ユーザがある程度操作方法を知っていることが前提となっている。したがって、利用したい機能に対して、どのような操作から開始すればよいのか分からないような、装置の操作に不慣れなユーザにとっては、必ずしも使い勝手のよいものではない。装置の操作に不慣れなユーザは、まず取扱説明書において、利用したい機能に関する項目を探し、操作内容を知ってから装置の操作を開始する。そのような場合、取扱説明書を参照することから開始し、適宜、取扱説明書から装置の操作画面の操作へと移ることができることが好ましい。
【０００８】
したがって、本発明は、ユーザによる電子的な取扱説明書を参照する操作に応じて、操作画面を遷移させることができ、操作画面の操作に不慣れなユーザでも操作を容易に行なうことができる画像処理装置及びそれを含むシステムを提供することを目的とする。
【課題を解決するための手段】
【０００９】
本発明の第１の局面に係るシステムは、画像処理装置と、画像処理装置と通信可能な端末装置とを含むシステムである。画像処理装置は、操作画面を表示する第１表示部と、第１表示部に表示されている操作画面に含まれるキーが選択されたことを検出する第１検出部と、第１検部により、キーが選択されたことが検出されたことを受けて、第１表示部に、第１表示部に表示されている操作画面を、選択されたキーに応じて変更させる第１制御部とを含む。端末装置は、画像処理装置の取扱説明書を画像として表示する第２表示部と、第２表示部に表示されている取扱説明書の画像の所定領域が選択されたことを検出する第２検出部と、第２検出部により、所定領域が選択されたことが検出されたことを受けて、第２表示部に、第２表示部に表示されている取扱説明書の画像を、選択された所定領域に対応する取扱説明書の新たな画像に変更させる第２制御部と、取扱説明書の新たな画像に対応する操作画面を特定するための情報を、画像処理装置に送信する送信部とを含む。画像処理装置は、送信部から送信される情報を受信する受信部と、第１表示部に、受信部により受信された情報により特定される操作画面を表示させる操作画面変更部とをさらに含む。
【００１０】
これにより、ユーザは、端末装置に表示されている画像処理装置の取扱説明書を操作して、取扱説明書のページ画像を新たなページ画像に変更すれば、画像処理装置の操作画面を、新たなページ画像に対応する操作画面に変更することができる。したがって、画像処理装置の操作画面の操作に不慣れなユーザであっても、画像処理装置の取扱説明の中から所望の項目を探し出すだけで、操作画面上での条件設定を容易に行なうことができる。
【００１１】
好ましくは、操作画面を特定するための情報は、新たな画像を生成するためのデータを含む取扱説明書ファイルのファイル名を含み、画像処理装置は、取扱説明書ファイルのファイル名と、操作画面を生成するためのデータを含む操作画面ファイルのファイル名とを対応付けたテーブル情報を記憶する記憶部をさらに含み、操作画面変更部は、テーブル情報を、受信部により受信された情報に含まれる取扱説明書ファイルのファイル名で検索して、第１表示部に表示させる操作画面を生成するための操作画面ファイルを特定する。
【００１２】
これにより、画像処理装置の取扱説明書が複数のファイルで構成され、画像処理装置の操作画面の遷移が複数のファイル間の遷移により行なわれる場合にも、ユーザは、端末装置に表示されている取扱説明書を操作することにより、画像処理装置の操作画面をも変更することができる。
【００１３】
より好ましくは、取扱説明書ファイルは、新たな画像を生成するためのデータの位置を特定するためのアンカー名をさらに含み、操作画面を特定するための情報は、取扱説明書ファイルのファイル名に加えて、取扱説明書ファイルに含まれるアンカー名を含み、記憶部は、取扱説明書ファイルのファイル名及びアンカー名と、操作画面ファイルのファイル名及びキー名とを対応付けるテーブル情報を記憶し、操作画面変更部は、テーブル情報を、受信部により受信された情報に含まれる取扱説明書ファイルのファイル名及びアンカー名で検索して、第１表示部に表示させる操作画面を生成するための操作画面ファイルのファイル名及びキー名を特定し、操作画面変更部は、表示部に、特定されたファイル名の操作画面ファイルを用いて操作画面を表示させ、当該操作画面中のキー名に対応するキーを点滅表示させる。
【００１４】
これにより、ユーザが取扱説明書を操作することにより、画像処理装置の操作画面において、対応するキーを点滅させることができ、ユーザによる操作画面上のキー操作がより容易なる。
【００１５】
本発明の第２の局面に係る画像処理装置は、操作画面を表示する表示部と、表示部に表示されている操作画面に含まれるキーが選択されたことを検出する検出部と、検出部により、キーが選択されたことが検出されたことを受けて、表示部に、表示部に表示されている操作画面を、選択されたキーに応じて変更させる制御部と、画像処理装置の取扱説明書を表示する端末装置から、端末装置に表示されている取扱説明書の画像が操作されたことにより、取扱説明書の新たな画像が表示されることを受けて、端末装置から送信された、新たな画像に対応する操作画面を特定するための情報を受信する受信部と、表示部に、受信部により受信された情報により特定される操作画面を表示させる操作画面変更部とを含む。
【００１６】
これにより、ユーザは、端末装置に表示されている画像処理装置の取扱説明書を操作して、取扱説明書のページ画像を新たなページ画像に変更すれば、画像処理装置の操作画面を、新たなページ画像に対応する操作画面に変更することができる。
【００１７】
本発明の第３の局面に係る画像処理装置は、操作画面を表示する表示部と、表示部に表示されている操作画面に含まれるキーが選択されたことを検出する検出部と、検出部により、キーが選択されたことが検出されたことを受けて、表示部に、表示部に表示されている操作画面を、選択されたキーに応じて変更させる制御部とを含み、操作画面は、取扱説明書の表示を指示するための取扱説明書キーを含み、検出部により取扱説明書キーが選択されたことを受けて、表示部は、操作画面と画像処理装置の取扱説明書の画像とを表示し、検出部により、表示部に表示されている取扱説明書の画像の所定領域が選択されたことが検出されたことを受けて、表示部は、表示部に表示されている取扱説明書の画像を、選択された所定領域に対応する取扱説明書の新たな画像に変更し、且つ、取扱説明書の新たな画像に対応する操作画面を表示する。
【００１８】
これにより、ユーザは、画像処理装置の操作部に表示させた取扱説明書を操作して、取扱説明書のページ画像を新たなページ画像に変更すれば、操作画面を、新たなページ画像に対応する操作画面に変更することができる。したがって、画像処理装置の操作画面の操作に不慣れなユーザであっても、取扱説明の中から所望の項目を探し出すだけで、操作画面上での条件設定を容易に行なうことができる。
【００１９】
好ましくは、取扱説明書の画像は、操作画面に隣接して、又は、操作画面の上に表示される。
【００２０】
これにより、ユーザは、画像処理装置の操作部上で、相互に対応する取扱説明書と操作画面とを同時に見ることができるので、操作画面の操作がより容易になる。
【発明の効果】
【００２１】
本発明によれば、ユーザは、表示されている画像処理装置の取扱説明書を操作して、取扱説明書のページ画像を新たなページ画像に変更すれば、画像処理装置の操作画面を、新たなページ画像に対応する操作画面に変更することができる。したがって、画像処理装置の操作画面の操作に不慣れなユーザであっても、画像処理装置の取扱説明の中から所望の項目を探し出すだけで、操作画面上での条件設定を容易に行なうことができる。
【図面の簡単な説明】
【００２２】
【図１】本発明の第１の実施の形態に係る画像処理装置を示す正面図である。
【図２】図１に示した画像処理装置の内部構成を示すブロック図である。
【図３】図１に示した画像処理装置の操作部を示す平面図である。
【図４】本発明の第１の実施の形態に係る携帯端末装置を示す正面図である。
【図５】図２に示した携帯端末装置の内部構成を示すブロック図である。
【図６】図２に示した携帯端末装置において実行される取扱説明書を表示するプログラムの制御構成を示すフローチャートである。
【図７】図１に示した画像処理装置において実行される操作画面を遷移させるプログラムの制御構成を示すフローチャートである。
【図８】携帯端末装置に表示される取扱説明書のトップページを示す図である。
【図９】携帯端末装置に表示される取扱説明書のコピーに関する目次を示す図である。
【図１０】携帯端末装置において目次の項目が選択されたことにより表示されるページを示す図である。
【図１１】図１０の画面において概要説明キーが選択されたことにより表示されるページを示す図である。
【図１２】携帯端末装置で管理される取扱説明書の表示項目と表示内容との対応を示す図である。
【図１３】画像処理装置に表示されるホーム画面を示す図である。
【図１４】画像処理装置に表示されるコピーモードの基本画面を示す図である。
【図１５】画像処理装置において「他の機能」キーが選択されたことにより表示される画面を示す図である。
【図１６】図１５の画面において「印刷メニュー」キーが選択されたことにより表示される画面を示す図である。
【図１７】画像処理装置で管理される、取扱説明書の表示項目と操作画面の表示項目と操作画面の表示内容との対応を示す図である。
【図１８】本発明の第２の実施の形態に係る画像処理装置において実行される操作画面及び取扱説明書を表示するプログラムの制御構成を示すフローチャートである。
【図１９】画像処理装置の表示部の表示面を２分割して操作画面及び取扱説明書を表示した状態を示す図である。
【図２０】図１９の状態において取扱説明書が操作されることにより取扱説明書の表示内容が変更され、操作画面が遷移した状態を示す図である。
【図２１】図２０の状態において取扱説明書が操作されることにより取扱説明書の表示内容が変更され、操作画面が遷移した状態を示す図である。
【図２２】本発明の第３の実施の形態に係る画像処理装置において実行される操作画面及び取扱説明書を表示するプログラムの制御構成を示すフローチャートである。
【図２３】画像処理装置の表示部に、操作画面に重ねて取扱説明書を表示した状態を示す図である。
【図２４】図２３の状態において取扱説明書が操作されることにより取扱説明書の表示内容が変更され、操作画面が遷移した状態を示す図である。
【図２５】図２４の状態において取扱説明書が操作されることにより取扱説明書の表示内容が変更され、操作画面が遷移した状態を示す図である。
【図２６】図２５の状態において取扱説明書が操作されることにより取扱説明書の表示内容が変更され、操作画面が遷移した状態を示す図である。
【発明を実施するための形態】
【００２３】
以下の実施の形態では、同一の部品には同一の参照番号を付してある。それらの名称及び機能も同一である。したがって、それらについての詳細な説明は繰返さない。
【００２４】
（第１の実施の形態）
第１の実施の形態に係る画像処理装置は、携帯電話又はスマートフォン等の携帯端末装置に表示された、その画像処理装置の取扱説明書がユーザにより操作されたことを受けて、操作画面を遷移させる。そのために、画像処理装置と携帯端末装置とは、公知の近距離無線通信（ＮＦＣ：Ｎｅａｒ  Ｆｉｅｌｄ  Ｃｏｍｍｕｎｉｃａｔｉｏｎ）により互いにデータの送受信を行なう。ＮＦＣは、数十ｃｍ程度以下の至近距離でデータ通信を行なう近距離無線通信技術である。
【００２５】
図１を参照して、画像処理装置１００は、原稿読取部１１０、画像形成部１１２、給紙部１１４、排紙トレイ１１６及び操作部１２０を含む。ユーザは、操作部１２０に表示された操作画面を操作し、画像処理装置１００に所定の処理を実行させることができる。例えば、ユーザが、原稿のコピーの実行を指示した場合、原稿読取部１１０にセットされた原稿がスキャンされて画像データが生成され、その画像データに基づき、給紙部１１４から引出された記録紙に画像が形成される。画像が形成された記録紙は排紙トレイ１１６に排出される。また、画像処理装置１００がネットワーク及び電話回線に接続されていれば、ユーザは、原稿のスキャンにより得られた画像データを、ＦＴＰサーバに送信すること、又は、電話回線を介してＦＡＸ送信することもできる。
【００２６】
図２を参照して、画像処理装置１００は、画像処理装置１００全体を制御するＣＰＵ（Ｃｅｎｔｒａｌ  Ｐｒｏｃｅｓｓｉｎｇ  Ｕｎｉｔ）１０２と、プログラム等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像処理装置１００の動作を制御するのに必要なプログラム及びデータが記憶されている。
【００２７】
画像処理装置１００は、上記した原稿読取部１１０、画像形成部１１２及び操作部１２０に加えて、ＮＩＣ（Ｎｅｔｗｏｒｋ  Ｉｎｔｅｒｆａｃｅ  Ｃａｒｄ）１３０、無線ＩＦ部１３２、及びバス１４０を含む。各部は、バス１４０に接続されている。各部間のデータ（制御情報を含む）交換は、バス１４０を介して行なわれる。
【００２８】
ＣＰＵ１０２は、バス１４０を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像処理装置１００を構成する各部の制御を行ない、画像処理装置１００の各機能を実現する。
【００２９】
原稿読取部１１０は、例えばＣＣＤ（Ｃｈａｒｇｅ  Ｃｏｕｐｌｅｄ  Ｄｅｖｉｃｅ：電荷結合素子）により、上記したように原稿を読取って画像データ（デジタル信号）を生成する。画像データはＲＡＭ１０６に一時的に記憶される。画像形成部１１２は、ＲＡＭ１０６上の画像データに基づいて、記録紙搬送部（図示せず）によって搬送される記録紙上に画像を形成する。
【００３０】
操作部１２０は、入力部１２２と表示部１２４とを含む。例えば、操作部１２０がタッチパネルディスプレイであれば、表示部１２４は、液晶パネル等で構成された表示パネルであり、入力部１２２は、表示パネルの上に配置され、タッチされた位置を検出するタッチパネルである。操作部１２０の表示部１２４には、画像処理装置１００に指示を行なうための画面が表示される。ユーザは、表示部１２４に表示されたキーを、表示部１２４に重ねられた入力部１２２上で選択する（タッチパネル上の該当部分にタッチする）ことによって、画像処理装置１００の機能設定及び動作指示等を行なうことができる。
【００３１】
図３を参照して、操作部１２０には、ハードウェアキーである電源キー１５０及びホームキー１５２が配置されている。電源キー１５０は、画像処理装置１００の電源をオン／オフするためのキーである。ホームキー１５２は、後述するホーム画面を表示させるためのキーである。
【００３２】
無線ＩＦ部１３２は、操作部１２０内に配置され、外部機器とＮＦＣによる無線通信を行なう。無線ＩＦ部１３２の近くの操作部の表面領域１５４には、外部機器を近づける目標を示すために所定のマーク１５６が配置されている。
【００３３】
ＮＩＣ１３０は、外部ネットワーク１９０に接続され、画像処理装置１００が外部ネットワーク１９０を介して外部装置と通信するためのインターフェイスである。
【００３４】
図４を参照して、携帯端末装置２００は、タッチパネルディスプレイ２１０と電源スイッチ２１６とを含む。
【００３５】
図５を参照して、携帯端末装置２００は、携帯端末装置２００全体を制御するＣＰＵ２０２と、プログラム等を記憶するためのＲＯＭ２０４と、揮発性の記憶装置であるＲＡＭ２０６と、無線ＩＦ部２３０と、バス２４０とを備えている。ＲＯＭ１０４には、携帯端末装置２００の動作を制御するのに必要なプログラム及びデータが記憶されている。各部は、バス２４０に接続され、各部間のデータ（制御情報を含む）交換は、バス２４０を介して行なわれる。
【００３６】
ＣＰＵ２０２は、バス２４０を介してＲＯＭ２０４からプログラムをＲＡＭ２０６上に読出して、ＲＡＭ２０６の一部を作業領域としてプログラムを実行する。即ち、ＣＰＵ２０２は、ＲＯＭ２０４に格納されているプログラムにしたがって携帯端末装置２００を構成する各部の制御を行ない、携帯端末装置２００の機能を実現する。
【００３７】
タッチパネルディスプレイ２１０は、入力部２１２と表示部２１４とを含む。表示部２１４は、液晶パネル等で構成された表示パネルであり、入力部２１２は、表示パネルの上に配置され、タッチされた位置を検出するタッチパネルである。ユーザは、表示部２１４に表示されたキー（アイコンを含む）を、表示部２１４に重ねられた入力部２１２上で選択する（タッチパネル上の該当部分にタッチする）ことによって、携帯端末装置２００に対する指示を行なうことができる。
【００３８】
無線ＩＦ部２３０は、携帯端末装置２００が画像処理装置１００と近距離無線通信を行なうためのＮＦＣモジュール（図示せず）を備えている。携帯端末装置２００を、画像処理装置１００のマーク１５６（無線ＩＦ部１３２）にかざすように近づけると、携帯端末装置２００と画像処理装置１００との間で双方向通信を行なうことが可能となる。
【００３９】
以下、携帯端末装置２００に表示された取扱説明書がユーザにより操作されたことを受けて、画像処理装置１００の操作画面を遷移させる機能に関して説明する。この機能は、携帯端末装置２００において、図６に示したプログラムが実行され、画像処理装置１００において、図７に示したプログラムが実行されることにより実現される。
【００４０】
ここでは、画像処理装置１００の取扱説明書（電子データ）が、ＲＯＭ２０４に記憶されているとする。取扱説明書は、複数のファイルから構成されている。各ファイルは、例えばＨＴＭＬ形式で作成されている。取扱説明書の各ファイル（ページ）が携帯端末装置２００の表示部２１４に表示される場合、画像として表示される。表示部２１４に、１度にページ全体を表示することができなければ、スクロール操作により、表示されていない部分を、画像として表示させることができる。各ページには、別のページ（ファイル）、又は、同じページ内の特定の場所若しくは別のページ内の特定の場所を表示させるためのリンク情報（ファイル名又はアンカー名）が含まれている。アンカー名とは、ページ内の特定の場所をリンク対象とする場合に、その先頭位置に設定される、一意のテキスト情報である。
【００４１】
図６のプログラムは、携帯端末装置２００の電源がオンされると実行される。図６を参照して、ステップ３００において、ＣＰＵ２０２は、タッチパネルディスプレイ２１０（表示部２１４）に所定の待機画面を表示する。待機画面には、種々のアプリケーションソフト（以下、単にアプリケーションともいう）を実行させるためのキーが表示される。待機画面には、画像処理装置１００の取扱説明書を表示するためのキーも表示されているとする。
【００４２】
ステップ３０２において、ＣＰＵ２０２は、タッチパネルディスプレイ２１０（入力部２１２）が操作されたか否かを判定する。操作されたと判定された場合、制御はステップ３０４に移行する。そうでなければ、制御はステップ３１８に移行する。
【００４３】
ステップ３０４において、ＣＰＵ２０２は、ステップ３０２で検出された操作が、取扱説明書を表示する操作であるか否かを判定する。具体的には、ＣＰＵ２０２は、待機画面に表示されたキーのうち、取扱説明書を表示するためのキーがタッチされたか否かを判定する。取扱説明書を表示する操作であると判定された場合、制御はステップ３０６に移行する。そうでなければ、制御はステップ３２２に移行する。
【００４４】
ステップ３０６において、ＣＰＵ２０２は、ＲＯＭ２０４から取扱説明書のデータを読出し、タッチパネルディスプレイ２１０（表示部２１４）にトップページを表示する。例えば、図８に示すようなトップページ５００が表示される。
【００４５】
図８のトップページ５００は、２つのタブから構成されており、「操作の方法」のタブが選択された状態である。画像処理装置１００の各モードに関する説明を表示させるためのキー（コピー、ファクス、イメージ送信、ドキュメントファイリング、及びプリンター）が表示され、その下にはその他の説明ページを表示させるためのキー（共通の項目、設定モード、困ったときには、及び付録）が表示されている。各キーが選択されると、各キーに対応付けられた、リンク情報（ファイル名又はアンカー名）が参照される。リンク情報がファイル名であれば、該当するファイルが読出される。リンク情報がアンカー名であれば、既に読込み済みのファイル内のアンカー名以降の内容が表示される。リンク情報が別のファイル名及びアンカー名であれば、該当するファイルが読出され、そのファイル内のアンカー名以降の内容が表示される。
【００４６】
ステップ３０８において、ＣＰＵ２０２は、タッチパネルディスプレイ２１０に表示されたページに含まれるリンクが選択されたか否かを判定する。選択されたと判定された場合、制御はステップ３１０に移行する。そうでなければ、制御はステップ３１２に移行する。
【００４７】
ステップ３１０において、ＣＰＵ２０２は、ステップ３０８で検出された選択に対応する取扱説明書の画像（ページ又はその一部）をタッチパネルディスプレイ２１０（表示部２１４）に表示する。例えば、コピーキー５０２（図８）が選択されると、該当するファイルがＲＯＭ２０４から読出され、図９に示すようなコピーモードに関する目次ページが表示される。
【００４８】
ステップ３１２において、ＣＰＵ２０２は、キャンセルが指示されたか否かを判定する。具体的には、ＣＰＵ２０２は、表示されている取扱説明書の画像の右上に表示されたキャンセルキー（例えば図８のキャンセルキー５０４）がタッチされたか否かを判定する。キャンセルが指示されたと判定された場合、ＣＰＵ２０２は、取扱説明書を表示するアプリケーションを終了し（表示されている取扱説明書は消去される）、制御はステップ３００に戻る。そうでなければ、制御はステップ３０８に戻る。
【００４９】
ステップ３１４において、ＣＰＵ２０２は、ステップ３１０でＲＯＭ２０４から読出したファイルに、埋込情報が含まれているか否かを判定する。埋込情報が含まれていると判定された場合、制御はステップ３１６に移行する。そうでなければ、制御はステップ３０８に戻る。
【００５０】
埋込情報とは、取扱説明書内の特定の部分（ページ又はページの一部分）に対応する、画像処理装置１００の操作画面があるか否かを表す情報である。例えば、埋込情報にはリンク情報が使用される。ここでは、リンク情報は、上記したようにファイル名及びアンカー名で構成されるので、埋込情報はファイル名、又は、ファイル名及びアンカー名を含む。
【００５１】
例えば、ステップ３１０で表示される画面が、現在表示されているファイルとは別のファイルに基づくものであれば、埋込情報はその別のファイルのファイル名である。ステップ３１０で表示されるページが、現在表示されているファイル内の特定部分であれば、埋込情報は、そのファイル名及びその特定部分の先頭を示すアンカー名である。ステップ３１０で表示される画面が、現在表示されているファイルとは別のファイル内の特定部分であれば、埋込情報は、その別のファイルのファイル名及びその特定部分の先頭を示すアンカー名である。
【００５２】
ステップ３１６において、ＣＰＵ２０２は、埋込情報を画像処理装置１００に送信する。このとき、携帯端末装置２００が画像処理装置１００と通信可能な状態でなければ、ＣＰＵ２０２は、接続処理を実行した後、埋込情報を画像処理装置１００に送信する。
【００５３】
ここでは、携帯端末装置２００と画像処理装置１００との通信は、無線通信ＩＦ部２３０を介したＮＦＣであるので、接続処理は、ユーザが携帯端末装置２００を、画像処理装置１００の操作部１２０のマーク１５６に接触又は近接させることにより行なわれる。このとき、携帯端末装置２００が画像処理装置１００と通信可能な状態でなければ、ＣＰＵ２０２は、タッチパネルディスプレイ２１０に、携帯端末装置２００を画像処理装置１００のマーク１５６に近づけるようにメッセージを表示し、接続処理が完了すればメッセージを消去する。
【００５４】
このように、ステップ３０８〜３１６が繰返されることにより、ユーザがタッチパネルディスプレイ２１０を操作して、取扱説明書を操作すると、新たに表示される取扱説明書の部分（ページ又はその一部）に対応する埋込情報が、画像処理装置１００に送信される。埋込情報を受信した画像処理装置１００は、後述するように、対応する操作画面を表示する。
【００５５】
例えば、上記したように、図８において、コピーキー５０２がタッチされた場合（ステップ３０８の判定結果がＹＥＳ）、新たなファイルがＲＯＭ２０４から読出されて、対応するページの先頭から、図９に示す目次ページ５２０がタッチパネルディスプレイ２１０に表示される。コピーキー５０２には、リンク情報としてファイル名が設定されている。例えば、ＨＴＭＬ形式のファイルであれば、図８のトップページ５００を表示するためのファイル（ファイル名“ｍａｎｕａｌ．ｈｔｍｌ”）には、＜ａ  ｈｒｅｆ＝“ｍａｎｕａｌ−ｃｏｐｙ．ｈｔｍｌ”＞コピー＜／ａ＞と記述されており、ステップ３１０で表示されるのは、ファイル名が“ｍａｎｕａｌ−ｃｏｐｙ．ｈｔｍｌ”のファイルの先頭（ヘッダー部分を除く）からの情報である。この場合、ステップ３１６で送信される埋込情報は、ファイル名“ｍａｎｕａｌ−ｃｏｐｙ．ｈｔｍｌ”である。
【００５６】
また、図９において、リンクが設定された「文字、画像情報をプラスする」という項目が表示された領域５２４がタッチされた場合（ステップ３０８の判定結果がＹＥＳ）、別ファイルの対応する部分が、図１０に示すように、ページ５３０としてタッチパネルディスプレイ２１０に表示される。ここでは、領域５２４には、別のファイル名及びアンカー名がリンク情報として設定されており、領域５２４がタッチされた場合、別のファイル内に設定されているアンカー名以降の情報が表示される。
【００５７】
例えば、ＨＴＭＬ形式のファイルであれば、図９に表示されるファイル（ファイル名“ｍａｎｕａｌ−ｃｏｐｙ．ｈｔｍｌ”）中には、＜ａ  ｈｒｅｆ＝“ｍａｎｕａｌ−ｃｏｐｙ−ｓｐｅｃｉａｌ−ｆｕｎｃ．ｈｔｍｌ＃ｐｒｉｎｔ−ｍｅｎｕ”＞文字、画像情報をプラスする＜／ａ＞と記述され、ＲＯＭ２０４に記憶されているファイル名が“ｍａｎｕａｌ−ｃｏｐｙ−ｓｐｅｃｉａｌ−ｆｕｎｃ．ｈｔｍｌ”のファイル中には、＜ａ  ｎａｍｅ＝“ｒｉｎｔ−ｍｅｎｕ”＞文字、画像情報をプラスする機能＜／ａ＞とアンカーが記述されている。この場合、ステップ３１６で送信される埋込情報は、ファイル名（ｍａｎｕａｌ−ｃｏｐｙ−ｓｐｅｃｉａｌ−ｆｕｎｃ．ｈｔｍｌ）とアンカー名（ｐｒｉｎｔ−ｍｅｎｕ）とを含み、例えば“ｍａｎｕａｌ−ｃｏｐｙ−ｓｐｅｃｉａｌ−ｆｕｎｃ．ｈｔｍｌ＃ｐｒｉｎｔ−ｍｅｎｕ”である。
【００５８】
図９において、Ｉｎｄｅｘキー５２２がタッチされた場合には、図８のトップページ５００が表示される。例えば、図９に表示されるファイル中には、＜ａ  ｈｒｅｆ＝“ｍａｎｕａｌ．ｈｔｍｌ”＞Ｉｎｄｅｘ＜／ａ＞と記述されている。ステップ３１０で表示されるのは、ファイル名が“ｍａｎｕａｌ．ｈｔｍｌ”のファイルの先頭（ヘッダー部分を除く）からの情報、即ち、図８に示したトップページ５００である。この場合、ステップ３１６で送信される埋込情報は、ファイル名“ｍａｎｕａｌ．ｈｔｍｌ”である。
【００５９】
また、図１０において、概要説明キー５３２がタッチされた場合、図１１に示すように、ページ５４０として、別ファイルの先頭部分からタッチパネルディスプレイ２１０に表示される。図１０の概要説明キー５３２には、リンク情報としてファイル名が設定されている。例えば、ＨＴＭＬ形式のファイルであれば、図１０の画面を表示するためのファイル“ｍａｎｕａｌ−ｃｏｐｙ−ｓｐｅｃｉａｌ−ｆｕｎｃ．ｈｔｍｌ”には、＜ａ  ｈｒｅｆ＝“ｍａｎｕａｌ−ｃｏｐｙ−ｓｐｅｃｉａｌ−ｆｕｎｃ−ｐｒｉｎｔ−ｍｅｎｕ．ｈｔｍｌ”＞コピー＜／ａ＞と記述されており、ステップ３１０で表示されるのは、ファイル名が“ｍａｎｕａｌ−ｃｏｐｙ−ｓｐｅｃｉａｌ−ｆｕｎｃ−ｐｒｉｎｔ−ｍｅｎｕ．ｈｔｍｌ”のファイルの先頭（ヘッダー部分を除く）からの情報である。この場合、ステップ３１６で送信される埋込情報は、ファイル名“ｍａｎｕａｌ−ｃｏｐｙ−ｓｐｅｃｉａｌ−ｆｕｎｃ−ｐｒｉｎｔ−ｍｅｎｕ．ｈｔｍｌ”である。
【００６０】
上記の内容の具体例は、図１２に示されている。即ち、ステップ３１０において、「表示内容」の欄に示した画面が表示される場合、ステップ３１６において送信される埋込情報は、「取扱説明書の表示項目情報」の欄に示されている。
【００６１】
ステップ３０２で、タッチパネルディスプレイ２１０（入力部２１２）が操作されなかったと判定された場合、ステップ３１８において、ＣＰＵ２０２は、画像処理装置１００から接続要求を受信したか否かを判定する。受信したと判定された場合、制御はステップ３２０に移行する。そうでなければ、制御はステップ３０２に戻る。
【００６２】
ステップ３２０において、ＣＰＵ２０２は、画像処理装置１００との接続処理を実行する。その後、制御はステップ３０６に移行する。この接続要求は、後述するように、ユーザによる画像処理装置１００の操作部１２０が操作されることによりなされるので、ユーザが自ら、携帯端末装置２００を画像処理装置１００のマーク１５６に接触又は近接させ、それにより接続処理が実行される。このとき、ＣＰＵ２０２は、タッチパネルディスプレイ２１０に、携帯端末装置２００を画像処理装置１００のマーク１５６に近づけるようにメッセージを表示し、接続処理が完了すればメッセージを消去するようにしてもよい。
【００６３】
これにより、タッチパネルディスプレイ２１０が操作されなくても、画像処理装置１００から接続要求を受信すると、ステップ３０６において、タッチパネルディスプレイ２１０に取扱説明書が表示される。その後、上記したように、ユーザが取扱説明書を操作すると、それに応じた埋込情報が画像処理装置１００に送信される。
【００６４】
ステップ３０４で、取扱説明書を表示する操作でないと判定された場合、ステップ３２２において、ＣＰＵ２０２は、終了の指示を受けたか否かを判定する。終了の指示は、例えば、携帯端末装置２００の電源がオンしている状態で、電源スイッチ２１６が押されることによりなされる。終了の指示を受けたと判定された場合、本プログラムは終了する。そうでなければ、制御はステップ３２４に移行する。
【００６５】
ステップ３２４において、ＣＰＵ２０２は、ステップ３０２で検出された操作に対応する処理を実行する。例えば、待機画面で、取扱説明書を表示するアプリケーション以外のアプリケーションを起動するキーがタッチされた場合、ＣＰＵ２０２は、該当するアプリケーションを起動する。その後、制御はステップ３０２に戻る。
【００６６】
上記のように携帯端末装置２００が図６のプログラムを実行するのに対応して、画像処理装置１００が実行する図７のプログラムに関して説明する。
【００６７】
図７のプログラムは、画像処理装置１００の電源がオンされると実行される。図７を参照して、ステップ４００において、ＣＰＵ１０２は、操作部１２０（表示部１２４）に所定のホーム画面を表示する。例えば、図１３に示すようなホーム画面６００が表示部１２４に表示される。
【００６８】
ホーム画面６００には、領域６０２に、各モードを選択するためのキー（コピー、Ｅ−ｍａｉｌ、ファクス等）が表示され、さらに、取扱説明書を表示するためのキー６０４、及び画像処理装置１００の基本設定を行なうためのキー６０６が表示されている。
【００６９】
ステップ４０２において、ＣＰＵ１０２は、操作部１２０（入力部１２２）が操作されたか否かを判定する。操作されたと判定された場合、制御はステップ４０４に移行する。そうでなければ、制御はステップ４１２に移行する。
【００７０】
ステップ４０４において、ＣＰＵ１０２は、ステップ４０２で検出された操作が、取扱説明書を表示する操作であるか否かを判定する。具体的には、ＣＰＵ１０２は、取扱説明書を表示するためのキー６０４がタッチされたか否かを判定する。取扱説明書を表示する操作であると判定された場合、制御はステップ４０６に移行する。そうでなければ、制御はステップ４０８に移行する。
【００７１】
ステップ４０６において、ＣＰＵ１０２は、ＮＦＣによる接続要求を送信する。具体的には、ＣＰＵ１０２は、無線ＩＦ部１３２を制御して、ＮＦＣにより携帯端末装置を検出したか否かを判定する。例えば、ＣＰＵ１０２は、イニシエータとして、無線ＩＦ部１３２からポーリングリクエストと呼ばれるフレームデータを送信する。ＮＦＣ機能を有する装置は、ポーリングリクエストを含む無線信号を受信すると、ポーリングレスポンスフレームと呼ばれるフレームを送信する。この接続要求は、携帯端末装置２００により、図６のステップ３１８及びステップ３２０で処理される。ＣＰＵ１０２は、携帯端末装置２００からポーリングレスポンスフレームを受信すると、携帯端末装置２００との通信を確立する。
【００７２】
ステップ４０８において、ＣＰＵ１０２は、ステップ４０２で検出された操作に対応する処理を実行する。例えば、ホーム画面６００で、特定のモードを選択するためのキーがタッチされた場合、ＣＰＵ１０２は、該当するモードの基本画面を表示する。例えば、図１３のホーム画面６００でコピーキー６０８がタッチされると、図１４に示すようなコピーモードの基本画面６２０が表示される。
【００７３】
ステップ４１０において、ＣＰＵ１０２は、終了の指示を受けたか否かを判定する。終了の指示は、例えば、画像処理装置１００の電源がオンしている状態で、電源キー１５０が押されることによりなされる。終了の指示を受けたと判定された場合、本プログラムは終了する。そうでなければ、制御はステップ４０２に戻る。
【００７４】
ステップ４０２で、操作部１２０（入力部１２２）が操作されなかったと判定された場合、ステップ４１２において、ＣＰＵ１０２は、携帯端末装置２００と接続中であるか否かを判定する。接続中であると判定された場合、制御はステップ４１４に移行する。そうでなければ、制御はステップ４２０に移行する。
【００７５】
ステップ４１４において、ＣＰＵ１０２は、携帯端末装置２００から埋込情報を受信したか否かを判定する。受信したと判定された場合、制御はステップ４１６に移行する。そうでなければ、制御はステップ４０２に戻る。
【００７６】
ステップ４１６において、ＣＰＵ１０２は、ステップ４１４で受信した埋込情報に対応する操作画面が存在するか否かを判定する。予め、ＨＤＤ１０８は、埋込情報と対応する操作画面を特定する情報とを対応させて記憶している。例えば、図１７に示すようなテーブル情報がＨＤＤ１０８に記憶されているので、ＣＰＵ１０２は、ステップ４１４で受信した埋込情報で、テーブル情報を検索して、該当する操作画面を特定する情報を決定することができる。ここで、各操作画面（後述するサブ画面を含む）は、ファイルから構成されているとする。各ファイルは、例えばＨＴＭＬ形式で作成されている。操作画面のファイルが画像処理装置１００の表示部１２４に表示される場合、画像として表示される。表示部１２４に、１度に全体を表示することができなければ、スクロール操作により、表示されていない部分を表示させることができる。対応する操作画面が存在すると判定された場合、制御はステップ４１８に移行する。そうでなければ、制御はステップ４０２に戻る。
【００７７】
ステップ４１８において、ＣＰＵ１０２は、ステップ４１６で決定された画面特定情報に対応する操作画面を、操作部１２０の表示部１２４に表示する。その後、制御はステップ４０２に戻る。
【００７８】
例えば、上記したように、携帯端末装置２００において、トップページ５００のコピーキー５０２（図８）がタッチされ（図６のステップ３０８の判定結果がＹＥＳ）、コピーの目次ページ５２０（図９）が表示された場合、ステップ３１６（図６）において、埋込情報としてファイル名“ｍａｎｕａｌ−ｃｏｐｙ．ｈｔｍｌ”が送信される。この埋込情報は、ステップ４１４において、画像処理装置１００により受信される。画像処理装置１００では、ステップ４１６において、“ｍａｎｕａｌ−ｃｏｐｙ．ｈｔｍｌ”を用いて、図１７に示したテーブル情報が検索され、対応する“ｏｐｅ−ｃｏｐｙ．ｈｔｍｌ”が決定される。そして、ステップ４１８において、ＨＤＤ１０８からファイル名が“ｏｐｅ−ｃｏｐｙ．ｈｔｍｌ”のファイルが読出されて、図１４に示したコピーモードの基本画面６２０が表示される。
【００７９】
また、携帯端末装置２００において、「文字、画像情報をプラスする」という項目が表示された領域５２４（図９）がタッチされ（図６のステップ３０８の判定結果がＹＥＳ）、図１０のページ５３０が表示された場合、ステップ３１６（図６）において、埋込情報としてファイル名（ｍａｎｕａｌ−ｃｏｐｙ−ｓｐｅｃｉａｌ−ｆｕｎｃ．ｈｔｍｌ）とアンカー名（ｐｒｉｎｔ−ｍｅｎｕ）とを含む、例えば“ｍａｎｕａｌ−ｃｏｐｙ−ｓｐｅｃｉａｌ−ｆｕｎｃ．ｈｔｍｌ＃ｐｒｉｎｔ−ｍｅｎｕ”が送信される。この埋込情報は、ステップ４１４において、画像処理装置１００により受信される。画像処理装置１００では、ステップ４１６において、“ｍａｎｕａｌ−ｃｏｐｙ−ｓｐｅｃｉａｌ−ｆｕｎｃ．ｈｔｍｌ＃ｐｒｉｎｔ−ｍｅｎｕ”を用いて、図１７に示したテーブル情報が検索され、対応する“ｏｐｅ−ｃｏｐｙ−ｓｐｅｃｉａｌ−ｆｕｎｃ．ｈｔｍｌ＃ｐｒｉｎｔ−ｍｅｎｕ”が特定される。そして、ステップ４１８において、ＨＤＤ１０８からファイル名が“ｏｐｅ−ｃｏｐｙ−ｓｐｅｃｉａｌ−ｆｕｎｃ．ｈｔｍｌ”のファイルが読出され、図１５に示すように、コピーモードの基本画面６２０に重ねてサブ画面６４０が表示される。このとき、コピーモードの基本画面６２０において、「他の機能」キー６３０は、「戻る」キー６４８に変更されている。「戻る」キー６４８又は「ＯＫ」キー６４６がタッチされると、サブ画面６４０は消去され、図１４のコピーモードの基本画面６２０が表示される。
【００８０】
このとき、画像処理装置１００は、受信した“ｐｒｉｎｔ−ｍｅｎｕ”により特定される印字メニューキー６４２を目立つように、例えば点滅表示（図１５において斜線で示す）してもよい。
【００８１】
また、携帯端末装置２００において、ページ５３０の概要説明キー５３２（図１０）がタッチされ（図６のステップ３０８の判定結果がＹＥＳ）、図１１に示したようにページ５４０がタッチパネルディスプレイ２１０に表示された場合、ステップ３１６（図６）において、埋込情報としてファイル名“ｍａｎｕａｌ−ｃｏｐｙ−ｓｐｅｃｉａｌ−ｆｕｎｃ−ｐｒｉｎｔ−ｍｅｎｕ．ｈｔｍｌ”が送信される。この埋込情報は、ステップ４１４において、画像処理装置１００により受信される。画像処理装置１００では、ステップ４１６において、“ｍａｎｕａｌ−ｃｏｐｙ−ｓｐｅｃｉａｌ−ｆｕｎｃ−ｐｒｉｎｔ−ｍｅｎｕ．ｈｔｍｌ”を用いて、図１７に示したテーブル情報が検索され、対応する操作画面の表示項目情報（ｏｐｅ−ｃｏｐｙ−ｓｐｅｃｉａｌ−ｆｕｎｃ−ｐｒｉｎｔ−ｍｅｎｕ．ｈｔｍｌ）が特定される。そして、ステップ４１８において、ＨＤＤ１０８から該当するファイル名（ｏｐｅ−ｃｏｐｙ−ｓｐｅｃｉａｌ−ｆｕｎｃ−ｐｒｉｎｔ−ｍｅｎｕ．ｈｔｍｌ）のファイルが読出され、図１６に示すように、コピーモードの基本画面６２０及びサブ画面６４０に重ねてサブ画面６６０が表示される。
【００８２】
サブ画面６６０において、ユーザは、印字メニューの条件を設定することができる。図１６では、日付、ページ数、及びスタンプのタブが表示され、各タブにタッチすると、対応する設定項目が表示される。図１６では、日付に関する設定項目が表示され、日付の表示形式及び記録紙上の印字位置を選択することができる。「ＯＫ」キー６６２がタッチされると、設定内容が確定され、サブ画面６６０は消去される。
【００８３】
このように、ステップ４１２〜４１８により、図６のステップ３１６で携帯端末装置２００から送信された埋込情報から、携帯端末装置２００に表示された取扱説明書の画像に対応する操作画面を特定して、操作部１２０の表示部１２４に表示することができる。したがって、画像処理装置１００の操作画面の操作に不慣れなユーザであっても、取扱説明書を操作して所望の項目を探すことにより、操作画面を自動的に遷移させ、所望の設定画面を表示させることができる。
【００８４】
ステップ４２０において、ＣＰＵ１０２は、携帯端末装置２００から接続要求を受信したか否かを判定する。受信したと判定された場合、制御はステップ４２２に移行する。そうでなければ、制御はステップ４０２に戻る。この接続要求は、図６のステップ３１６において、埋込情報を送信するときに、携帯端末装置２００と画像処理装置１００との無線通信が確立されていなければ、携帯端末装置２００から送信される。
【００８５】
ステップ４２２において、ＣＰＵ１０２は、接続処理を実行し、携帯端末装置２００との通信を確立する。その後、制御はステップ４１４に移行する。
【００８６】
このようにして、画像処理装置１００は、携帯端末装置２００と通信が確立されていなければ、通信を確立した後、ステップ４１４〜４１８を実行して、図６のステップ３１６で携帯端末装置２００から送信された埋込情報から、携帯端末装置２００に表示された取扱説明書の画像に対応する操作画面を特定して、操作部１２０の表示部１２４に表示することができる。
【００８７】
以上により、ユーザは、携帯端末装置２００に表示させた取扱説明書を操作して所望の項目を探すことにより、画像処理装置１００の操作部１２０に表示された操作画面を自動的に遷移させ、所望の設定画面（操作画面）を表示させることができる。したがって、画像処理装置１００の操作部１２０に表示された操作画面の操作に不慣れなユーザであっても、所望の機能を画像処理装置１００に実行させるための条件を容易に設定することができる。
【００８８】
上記では、携帯端末装置２００が画像処理装置１００の取扱説明書を記憶している場合を説明したがこれに限定されない。画像処理装置１００の取扱説明書は、適宜、画像処理装置１００から携帯端末装置２００に送信されてもよい。
【００８９】
上記では、画像処理装置１００が図１７に示したテーブル情報を記憶し、携帯端末装置２００から送信された埋込情報（取扱説明書の表示内容を特定する情報）に対応する操作画面を特定する場合を説明したが、これに限定されない。携帯端末装置２００が、図１７に示した情報を記憶し、取扱説明書の表示内容に対応する操作画面を特定する情報を決定し、決定された操作画面を特定する情報を画像処理装置１００に送信してもよい。この場合、画像処理装置１００は、受信した操作画面を特定する情報に対応するファイルをＨＤＤ１０８から読出して、操作画面として表示することができる。
【００９０】
上記では、取扱説明のデータが、複数のファイル（取扱説明書の各ページに対応）から構成され、ファイル名及びファイル内のアンカー名を埋込情報として送信する場合を説明したが、これに限定されない。予め、携帯端末装置２００に表示される取扱説明書の内容と、画像処理装置１００の操作画面とを対応させた情報（テーブル）を画像処理装置１００に記憶しておけば、携帯端末装置２００から画像処理装置１００に送信する情報（埋込情報に対応）は、表示される取扱説明書の内容を特定するための情報であれば任意である。
【００９１】
上記では、通信方式がＮＦＣ規格にしたがったものである場合を説明したが、これに限定されない。携帯端末装置２００と画像処理装置１００とが相互に無線通信できるものであればよく、例えば、公知のＢｌｕｅｔｈｏｏｔｈ（登録商標）、又はＷｉＦｉ等であってもよい。ＮＦＣであれば、画像処理装置１００の無線通信ＩＦ部１３２の近傍（約数ｃｍ以下の距離）には、最大１台の装置しか同時には存在できないので、一旦携帯端末装置２００が検出されると、画像処理装置１００は携帯端末装置２００と通信することができる。しかし、近距離無線通信よりも通信距離が長い、ＷｉＦｉ等を用いる場合には、画像処理装置１００の周りに複数の携帯端末装置が存在し得るので、通信相手を特定して通信を行なうことが必要になる。特定の携帯端末装置２００と通信するためには、イニシエータである画像処理装置１００は、ターゲットである携帯端末装置２００のＩＤを特定した後、そのＩＤと自己のＩＤとを含む要求コマンドを送信すればよい。ターゲットである携帯端末装置２００から、画像処理装置１００に返信データを送信する場合には、画像処理装置１００のＩＤと自己のＩＤとを含む返信データを送信すればよい。データを受信した装置は、受信したデータに自己のＩＤが含まれていれば、受信したデータを使用し、含まれていなければ、自己宛のデータではないので、受信したデータを破棄する。
【００９２】
（第２の実施の形態）
第１の実施の形態においては、携帯端末装置に画像処理装置の取扱説明書を表示する場合を説明したが、第２実施の形態では、画像処理装置の操作部に自機の取扱説明書を表示する。
【００９３】
本実施の形態に係る画像処理装置は、第１の実施の形態に係る画像処理装置と同様に、図１及び図２のように構成されている。したがって、本実施の形態に係る画像処理装置の説明において、図１及び図２に示した参照番号を参照する。但し、本実施の形態に係る画像処理装置は、無線通信端末等の外部装置と無線通信するための無線ＩＦ部１３２を含んでいなくてもよい。
【００９４】
本実施の形態に係る画像処理装置１００は、操作部１２０に自機の取扱説明書と操作画面とを表示し、ユーザによる取扱説明書の操作に応じて、操作画面を遷移させる。これは、画像処理装置１００が、図１８に示したプログラムを実行することにより可能になる。
【００９５】
ここでは、画像処理装置１００の取扱説明書（電子データ）が、ＨＤＤ１０８に記憶されているとする。取扱説明書は、複数のファイルから構成されている。各ファイルは、例えばＨＴＭＬ形式で作成されている。取扱説明書の各ファイル（ページ）が操作部１２０に表示される場合、画像として表示される。操作部１２０に、１度にページ全体を表示することができなければ、スクロール操作により、表示されていない部分を表示させることができる。各ページには、別のページ（ファイル）、又は、同じページ内の特定の場所若しくは別のページ内の特定の場所を表示させるためのリンク情報（ファイル名又はアンカー名）が含まれている。
【００９６】
図１８のプログラムは、画像処理装置１００の電源がオンされると実行される。ステップ７００において、ＣＰＵ１０２は、操作部１２０（表示部１２４）に所定のホーム画面を表示する。例えば、図１３に示すようなホーム画面６００が表示部１２４に表示される。
【００９７】
ステップ７０２において、ＣＰＵ１０２は、操作部１２０（入力部１２２）が操作されたか否かを判定する。操作されたと判定された場合、制御はステップ７０４に移行する。そうでなければ、ステップ７０２が繰返される。
【００９８】
ステップ７０４において、ＣＰＵ１０２は、ステップ７０２で検出された操作が、取扱説明書を表示する操作であるか否かを判定する。具体的には、ＣＰＵ１０２は、取扱説明書を表示するためのキー６０４がタッチされたか否かを判定する。取扱説明書を表示する操作であると判定された場合、制御はステップ７０６に移行する。そうでなければ、制御はステップ７２２に移行する。
【００９９】
ステップ７０６において、ＣＰＵ１０２は、ＨＤＤ１０８から取扱説明書のデータを読出し、操作部１２０の表示部１２４の表示面を２つの領域に分割して、一方の領域に取扱説明書のトップページを表示し、他方の領域に操作画面を表示する。例えば、図１９に示すように、表示部１２４の左側の領域に取扱説明書のトップページ８００が表示され、右側の領域にホームページ８１０が表示される。
【０１００】
ステップ７０８において、ＣＰＵ１０２は、操作部１２０（入力部１２２）が操作されたか否かを判定する。操作されたと判定された場合、制御はステップ７１０に移行する。そうでなければ、ステップ７０８が繰返される。
【０１０１】
ステップ７１０において、ＣＰＵ１０２は、ステップ７０８で検出された操作が、操作部１２０に表示されている取扱説明書に対する操作であるか否かを判定する。取扱説明書に対する操作であると判定された場合、制御はステップ７１２に移行する。そうでなければ、制御はステップ７２２に移行する。
【０１０２】
ステップ７１２において、ＣＰＵ１０２は、キャンセルが指示されたか否かを判定する。具体的には、ＣＰＵ１０２は、表示部１２４の左側の領域に表示された取扱説明書の右上に表示されたキャンセルキー（例えば、図１９のキャンセルキー８０４）がタッチされたか否かを判定する。キャンセルが指示されたと判定された場合、ＣＰＵ１０２は、取扱説明書を消去し、制御はステップ７００に戻る。そうでなければ、制御はステップ７１４に移行する。取扱説明書が消去されると、図１３に示したように、操作部１２０の表示部１２４全体にホーム画面６００が表示される。
【０１０３】
ステップ７１４において、ＣＰＵ１０２は、ステップ７１０で検出された取扱説明書の操作に対応する画面を操作部１２０（表示部１２４）に表示する。例えば、図１９に表示された取扱説明書のトップページ８００でコピーキー８０２が選択されると、該当するファイルがＨＤＤ１０８から読出され、図２０に示すように、表示部１２４の左側の領域には、コピーモードに関する目次ページ８２０が表示される。
【０１０４】
ステップ７１６において、ＣＰＵ１０２は、ステップ７１４でＨＤＤ１０８から読出したファイルに、埋込情報が含まれているか否かを判定する。埋込情報が含まれていると判定された場合、ＣＰＵ１０２はその埋込情報を特定し、制御はステップ７１８に移行する。そうでなければ、制御はステップ７０８に戻る。
【０１０５】
ここで、埋込情報は、第１の実施の形態と同じである。ＨＤＤ１０８には、例えば図１２に示すテーブル情報が記憶されている。上記したように、図１９に表示された取扱説明書のトップページ８００でコピーキー８０２が選択されると、埋込情報としてファイル名“ｍａｎｕａｌ−ｃｏｐｙ．ｈｔｍｌ”が特定される。
【０１０６】
ステップ７１８において、ＣＰＵ１０２は、ステップ７１６で特定された埋込情報に対応する操作画面が存在するか否かを判定する。予め、ＨＤＤ１０８には、埋込情報と対応する画面を特定する情報とを対応させて記憶している。例えば、図１７に示すようなテーブル情報がＨＤＤ１０８に記憶されているので、ＣＰＵ１０２は、ステップ７１６で特定された埋込情報で、テーブル情報を検索して、該当する操作画面を特定する情報を決定することができる。ここで、各操作画面は、ファイルから構成されている。各ファイルは、例えばＨＴＭＬ形式で作成されている。操作画面のファイルが画像処理装置１００に表示される場合、画像として表示される。表示部１２４に、１度に全体を表示することができなければ、スクロール操作により、表示されていない部分を表示させることができる。対応する操作画面が存在すると判定された場合、制御はステップ７２０に移行する。そうでなければ、制御はステップ７０８に戻る。
【０１０７】
上記したように、図１９に表示された取扱説明書のトップページ８００でコピーキー８０２が選択され、埋込情報としてファイル名“ｍａｎｕａｌ−ｃｏｐｙ．ｈｔｍｌ”が特定されると、図１７に示したテーブル情報から、対応する“ｏｐｅ−ｃｏｐｙ．ｈｔｍｌ”が特定される。
【０１０８】
ステップ７２０において、ＣＰＵ１０２は、ステップ７１８で決定された画面特定情報に対応する操作画面を、操作部１２０に表示する。その後、制御はステップ７０８に戻る。上記したように、図１９に表示された取扱説明書のトップページ８００でコピーキー８０２が選択され、埋込情報としてファイル名“ｍａｎｕａｌ−ｃｏｐｙ．ｈｔｍｌ”が特定され、図１７に示したテーブル情報から、対応する“ｏｐｅ−ｃｏｐｙ．ｈｔｍｌ”が特定されると、図２０の右側の領域にコピーモードの基本画面８３０が表示される。
【０１０９】
また、図２０の取扱説明書の目次ページ８２０で「文字、画像情報をプラスする」という項目が表示された領域８２２がタッチされ（ステップ７１０でＹＥＳ、且つステップ７１２でＮＯ）、ステップ７１４において図２１の左側に示す取扱説明書のページ８４０が表示された場合、ステップ７１６において、埋込情報としてファイル名（ｍａｎｕａｌ−ｃｏｐｙ−ｓｐｅｃｉａｌ−ｆｕｎｃ．ｈｔｍｌ）とアンカー名（ｐｒｉｎｔ−ｍｅｎｕ）とを含む、例えば“ｍａｎｕａｌ−ｃｏｐｙ−ｓｐｅｃｉａｌ−ｆｕｎｃ．ｈｔｍｌ＃ｐｒｉｎｔ−ｍｅｎｕ”が特定される。これに続くステップ７１８において、“ｍａｎｕａｌ−ｃｏｐｙ−ｓｐｅｃｉａｌ−ｆｕｎｃ．ｈｔｍｌ＃ｐｒｉｎｔ−ｍｅｎｕ”を用いて、図１７に示したテーブル情報が検索され、対応する“ｏｐｅ−ｃｏｐｙ−ｓｐｅｃｉａｌ−ｆｕｎｃ．ｈｔｍｌ＃ｐｒｉｎｔ−ｍｅｎｕ”が特定される。そして、ステップ７２０において、ＨＤＤ１０８からファイル名が“ｏｐｅ−ｃｏｐｙ−ｓｐｅｃｉａｌ−ｆｕｎｃ．ｈｔｍｌ”のファイルが読出され、図２１に示すように、表示部１２４の右側の領域に、コピーモードの基本画面８３０に重ねてサブ画面８５０が表示される。“ｐｒｉｎｔ−ｍｅｎｕ”は、対応する印字メニューキー８５２を点滅表示（図２１において斜線で示す）するために使用される。
【０１１０】
同様に、図２１において、概要説明キー８４２がタッチされると、表示部１２４の左側の領域に、図１１のページ５４０のようなページが表示され、表示部１２４の右側の領域に表示されたサブ画面８５０の上に、図１６のサブ画面６６０のようなサブ画面が表示される。
【０１１１】
ステップ７２２において、ＣＰＵ１０２は、終了の指示を受けたか否かを判定する。終了の指示は、例えば、画像処理装置１００の電源がオンしている状態で、電源キー１５０が押されることによりなされる。終了の指示を受けたと判定された場合、本プログラムは終了する。そうでなければ、制御はステップ７２４に移行する。
【０１１２】
ステップ７２４において、ＣＰＵ１０２は、ステップ７０２で検出された操作に対応する処理を実行する。このとき、取扱説明書は表示されていない。例えば、ホーム画面（図１３参照）で、特定のモードを選択するためのキーがタッチされた場合、ＣＰＵ１０２は、該当するモードの基本画面を表示する。例えば、図１３のホーム画面６００でコピーキー６０８がタッチされると、図１４に示すようなコピーモードの基本画面６２０が表示される。その後、制御はステップ７０２に戻る。
【０１１３】
以上、画像処理装置において、操作部１２０に操作画面のみが表示されている状態で、取扱説明書を表示させるキー以外のキーがタッチされると、該当する画面が表示される。操作部１２０に操作画面のみが表示されている状態で、取扱説明書を表示させるキーがタッチされると、図１９に示したように、操作部１２０の表示部１２４の表示面を２分割して、操作画面と取扱説明書とを同時に表示する。その状態で、取扱説明書が操作されると、取扱説明書の表示内容が変更され、それに応じて、変更後の取扱説明書の表示内容に対応する操作画面が表示される。
【０１１４】
（第３の実施の形態）
第２の実施の形態においては、画像処理装置の表示部の表示面を２分割して、自機の取扱説明書及び操作画面を表示する場合を説明したが、第３実施の形態では、画像処理装置の操作画面に重ねて取扱説明書を表示する。
【０１１５】
本実施の形態に係る画像処理装置は、第１の実施の形態に係る画像処理装置と同様に、図１及び図２のように構成されている。したがって、本実施の形態に係る画像処理装置の説明において、図１及び図２に示した参照番号を参照する。但し、本実施の形態に係る画像処理装置は、無線通信端末等の外部装置と無線通信するための無線ＩＦ部１３２を含んでいなくてもよい。
【０１１６】
本実施の形態に係る画像処理装置１００は、操作部１２０に表示された操作画面の上に、自機の取扱説明書を表示し、ユーザによる取扱説明書の操作に応じて、操作画面を遷移させる。これは、画像処理装置１００が、図２２に示したプログラムを実行することにより可能になる。
【０１１７】
ここでは、第２の実施の形態と同様に、画像処理装置１００の取扱説明書（電子データ）が、ＨＤＤ１０８に記憶されているとする。
【０１１８】
図２２のプログラムが、図１８のプログラムと異なるのは、ステップ７０８、７１４及び７２０がそれぞれ、ステップ７４０、７４２及び７４４に変更され、ステップ７１２の判定結果がＹＥＳであればステップ７０２に戻る点だけである。図２２において、図１８と同じ参照番号を付したステップは、図１８と同じである。
【０１１９】
図２２のプログラムは、画像処理装置１００の電源がオンされると実行される。ステップ７０４において、取扱説明書を表示する操作であると判定されると、ステップ７４０において、ＣＰＵ１０２は、ＨＤＤ１０８から取扱説明書のデータを読出し、操作部１２０の表示部１２４に表示されている操作画面の上に取扱説明書のトップページを表示する。例えば、図１３のホーム画面６００において、取扱説明書を表示するためのキー６０４がタッチされると、図２３に示すように、表示部１２４に表示されているホーム画面６００の上に、取扱説明書のトップページ８６０が表示される。
【０１２０】
ステップ７１０において、操作画面の上に表示された取扱説明書が操作されたと判定され、ステップ７１２において、その操作がキャンセルであると判定されると、制御はステップ７０２に戻る。このとき、ＣＰＵ１０２は、表示されている取扱説明書を消去する。これにより、操作部１２０の表示部１２４には、操作画面のみが表示された状態になる。例えば、図２３に示すように、ホーム画面６００の上に、取扱説明書のトップページ８６０が表示された状態で、キャンセルキー８６４がタッチされると、トップページ８６０が消去され、図１３のようにホーム画面６００が表示された状態になる。
【０１２１】
一方、ステップ７１２において、キャンセル以外の操作であると判定されると、ステップ７４２において、ＣＰＵ１０２は、ステップ７０８で検出された取扱説明書の操作に対応するページを操作部１２０（表示部１２４）に表示する。例えば、図２３に表示された取扱説明書のトップページ８６０でコピーキー８６２が選択されると、該当するファイルがＨＤＤ１０８から読出され、図２４に示すように、トップページ８６０に代えて、コピーモードに関する目次ページ８７０が表示される。
【０１２２】
ステップ７１６において、ステップ７４２でＨＤＤ１０８から読出されたファイルに、埋込情報が含まれていると判定され、ステップ７１８において、その埋込情報に対応する操作画面が存在すると判定されると、ステップ７４４において、ＣＰＵ１０２は、取扱説明書のページの下に表示されている操作画面を、ステップ７１８で決定された画面特定情報に対応する操作画面に変更する。例えば、上記したように、図２３に示した取扱説明書のトップページ８６０でコピーキー８６２が選択されると、図２４に示したように、コピーモードの基本画面６２０の上に、コピーモードに関する目次ページ８７０が表示された状態になる。
【０１２３】
同様に、図２４に示した目次ページ８７０の「文字、画像情報をプラスする」という項目が表示された領域８７２がタッチされた場合、図２５に示すように、コピーモードの基本画面６２０の上に、サブ画面６４０が表示され、その上にページ８８０が表示された状態になる。
【０１２４】
また、図２５に示したページ８８０の概要説明キー８８２がタッチされた場合、図２６に示すように、コピーモードの基本画面６２０の上に、サブ画面６４０及び６６０が表示され、その上にページ８９０が表示された状態になる。図２６に示した状態で、キャンセルキー８９２がタッチされると（ステップ７１２の判定結果がＹＥＳ）、ページ８９０が消去され、図１６に示したように、コピーモードの基本画面６２０の上に、サブ画面６４０及び６６０が表示された状態になる。したがって、ユーザは、サブ画面６６０を操作して、印字メニューの条件を設定することができる。
【０１２５】
以上のように、画像処理装置において、操作部１２０に操作画面のみが表示されている状態で、取扱説明書を表示させるキー以外のキーがタッチされると、該当する画面が表示される。操作部１２０に操作画面のみが表示されている状態で、取扱説明書を表示させるキーがタッチされると、図２３〜２６に示したように、操作部１２０の表示部１２４に表示されている操作画面の上に、取扱説明書を表示する。その状態で、取扱説明書が操作されると、取扱説明書の表示内容が変更され、それに応じて、取扱説明書の下に表示されている操作画面が、変更後の取扱説明書の表示内容に対応する操作画面に変更される。そして、取扱説明書の表示がキャンセルされると、そのときに表示されている操作画面を維持したまま、取扱説明書が消去されるので、ユーザは速やかに操作画面を操作して条件を設定することができる。
【０１２６】
第２及び第３の実施の形態では、ホーム画面６００（図１３）において、取扱説明書を表示するためのキー６０４が操作された場合を説明したが、これに限定されない。ホーム画面６００以外の操作画面において、操作画面の右上には取扱説明書を表示するためのキーが表示されており（例えば、図１４のコピーモードの基本画面６２０の右上に表示されたキー６３２）、このキーがタッチされた場合にも、取扱説明書が表示される。なお、取扱説明書を表示するためのキーがタッチされたとき、取扱説明書のトップページが表示されても、取扱説明書を表示するためのキーがタッチされたときに表示されている操作画面に対応する、取扱説明書のページが表示されてもよい。取扱説明書を表示するためのキーがタッチされたときに表示されている操作画面に対応する、取扱説明書のページを表示するには、図１７のテーブル情報において、ＭＦＰ操作画面の表示項目から、取扱説明書の表示項目情報を特定すればよい。
【０１２７】
第２の実施の形態では、１つの表示部１２４の表示面を２分割して操作画面と取扱説明書とを表示する場合を説明したが、これに限定されない。画像処理装置が２つ以上の表示部を備えていれば、操作画面と取扱説明書とを個別の表示部に表示してもよい。
【０１２８】
以上、実施の形態を説明することにより本発明を説明したが、上記した実施の形態は例示であって、本発明は上記した実施の形態に限定されるものではなく、種々変更して実施することができる。
【符号の説明】
【０１２９】
１００    画像処理装置
１０２    ＣＰＵ
１０４    ＲＯＭ
１０６    ＲＡＭ
１０８    ＨＤＤ
１１０    原稿読取部
１１２    画像形成部
１２０    操作部
１２２    入力部
１２４    表示部
１１４    給紙部
１１６    排紙トレイ
１３０    ＮＩＣ
１３２    無線ＩＦ部
１４０    バス
１９０    外部ネットワーク
２００    携帯端末装置
２０２    ＣＰＵ
２０４    ＲＯＭ
２０６    ＲＡＭ
２１０    タッチパネルディスプレイ
２１２    入力部
２１４    表示部
２１６    電源スイッチ
２３０    無線ＩＦ部
２４０    バス
【図１】
2015172875.tif 000003
【図２】
2015172875.tif 000004
【図３】
2015172875.tif 000005
【図４】
2015172875.tif 000006
【図５】
2015172875.tif 000007
【図６】
2015172875.tif 000008
【図７】
2015172875.tif 000009
【図８】
2015172875.tif 000010
【図９】
2015172875.tif 000011
【図１０】
2015172875.tif 000012
【図１１】
2015172875.tif 000013
【図１２】
2015172875.tif 000014
【図１３】
2015172875.tif 000015
【図１４】
2015172875.tif 000016
【図１５】
2015172875.tif 000017
【図１６】
2015172875.tif 000018
【図１７】
2015172875.tif 000019
【図１８】
2015172875.tif 000020
【図１９】
2015172875.tif 000021
【図２０】
2015172875.tif 000022
【図２１】
2015172875.tif 000023
【図２２】
2015172875.tif 000024
【図２３】
2015172875.tif 000025
【図２４】
2015172875.tif 000026
【図２５】
2015172875.tif 000027
【図２６】
2015172875.tif 000028